(57)【特許請求の範囲】
【請求項１】
天井に設けられた天井穴に設備機器を取り付けるための機器取付用アダプタであって、
前記設備機器が挿入される開口部を有する枠体と、
挿入された前記設備機器を前記枠体に対して固定する機器固定部と、
前記枠体を前記天井に対して固定する枠固定部と、
を有する取付枠を備え、
前記天井穴に対する前記枠体の位置は、調整可能であり、
前記天井は、天井裏に設けられ前記設備機器の重さを支える支持枠を有し、
前記枠固定部は、
前記枠体を前記支持枠に対して固定するための固定用部材が挿通される固定用孔と、
前記固定用部材の位置を前記固定用孔の中心から偏心させる偏心部材と、
を有することを特徴とする機器取付用アダプタ。
【請求項２】
天井に設けられた天井穴に設備機器を取り付けるための機器取付用アダプタであって、
前記設備機器が挿入される開口部を有する枠体と、
挿入された前記設備機器を前記枠体に対して固定する機器固定部と、
前記枠体を前記天井に対して固定する枠固定部と、
を有する取付枠を備え、
前記天井穴に対する前記枠体の位置は、調整可能であり、
前記天井に対して固定された前記枠体を覆うように取り付けられる表面パネルをさらに備え、
前記表面パネルの主面は、外周と、前記外周の内側に設けられた内周と、を有し、
前記表面パネルは複数のパーツで形成され、
前記パーツは、前記外周の一部となる部分と、前記内周の一部となる部分と、を有することを特徴とする機器取付用アダプタ。
【請求項３】
前記表面パネルは、前記複数のパーツを接続する接続部を有し、
前記表面パネルのうち前記接続部を含まない部分の表面に加工が施されたことを特徴とする請求項２記載の機器取付用アダプタ。
【請求項４】
天井に設けられた天井穴に設備機器を取り付けるための機器取付用アダプタであって、
前記設備機器が挿入される開口部を有する枠体と、
挿入された前記設備機器を前記枠体に対して固定する機器固定部と、
前記枠体を前記天井に対して固定する枠固定部と、
を有する取付枠を備え、
前記天井穴に対する前記枠体の位置は、調整可能であり、
前記天井に対して固定された前記枠体を覆うように取り付けられる表面パネルと、
シール部材と、
をさらに備え、
前記枠体の材料は、金属を含み、
前記枠体の一部は、前記枠体が前記天井に対して固定された状態において、前記天井よりも下方に位置し、
前記シール部材は、前記表面パネルと前記天井との間において、前記枠体の前記一部の周囲を囲むように配置されることを特徴とする機器取付用アダプタ。
【請求項５】
前記表面パネルは、表面パネル仮固定部を有し、
前記表面パネル仮固定部は、前記表面パネルの前記枠体に対する位置が固定される前に、前記表面パネルの前記位置を仮固定することを特徴とする請求項４記載の機器取付用アダプタ。
【請求項６】
前記表面パネルと前記天井との間に配置される前の状態における前記シール部材の厚さは、前記枠体の前記一部の厚さよりも厚いことを特徴とする請求項５記載の機器取付用アダプタ。
【請求項７】
前記表面パネルは、表面パネル固定用孔を有し、前記表面パネル固定用孔に挿通された固定用部材によって前記枠体に対して固定され、
前記表面パネルと前記枠体との間において、前記固定用部材の周囲にスペーサが設けられたことを特徴とする請求項６記載の機器取付用アダプタ。
【請求項８】
前記取付枠は、前記天井穴に対する前記枠体の位置を規制する規制手段をさらに有することを特徴とする請求項１記載の機器取付用アダプタ。
【請求項９】
前記天井は、天井裏に設けられ前記設備機器の重さを支える支持枠を有し、
前記取付枠は、前記天井穴に対する前記枠体の位置を規制する規制手段をさらに有することを特徴とする請求項２〜７のいずれか１つに記載の機器取付用アダプタ。
【請求項１０】
前記取付枠は、仮固定部をさらに有し、
前記仮固定部は、前記枠体が前記枠固定部によって前記天井に固定される前に、前記枠体の前記位置を仮固定することを特徴とする請求項１〜９のいずれか１つに記載の機器取付用アダプタ。
【発明の詳細な説明】
【技術分野】
【０００１】
本発明の態様は、一般的に、機器取付用アダプタに関する。
【背景技術】
【０００２】
室内の天井には、空調機能や換気機能を有する設備機器が設けられることがある。例えば、浴室の天井には、浴室内を乾燥させる浴室乾燥装置が設置される。このような設備機器を天井に設置する際には、天井に天井穴が設けられる。そして、設備機器は、天井穴に対して固定される。このような設備機器を交換する際には、例えば、交換前の設備機器を取り外し、既に天井に設けられている天井穴に対して、新たな設備機器を固定することとなる。
【０００３】
ところで、上述のような設備機器の大きさは、例えば、小型化の傾向にある。また、設備機器の交換時に、設備機器の大きさの標準規格が、従来に比べて整備されている場合がある。このような場合には、新たに設置される設備機器は、交換前の設備機器よりも小さい。天井に設けられた既存の天井穴は、交換前の設備機器の大きさに応じて設けられているため、既存の天井穴に対して、新たな設備機器を直接設置することができない場合がある。
【０００４】
これに対して、機器取付用アダプタ（取付け用具）を用いて、設備機器を設置する方法が知られている。例えば、特許文献１には、浴室暖房ユニット（設備機器）を固定する枠状体を備えたアダプタが提案されている。この方法では、浴室暖房ユニットが枠状体に固定され、この枠状体が、天井裏にある構造体から吊り下げられる。これにより、天井に既に開けられている天井穴を利用して、設備機器の交換を行うことができる。つまり、既存の天井穴の大きさに対して設備機器の大きさが小さい場合でも、設備機器を既存の天井穴に対して、設置することが可能である。
【先行技術文献】
【特許文献】
【０００５】
【特許文献１】特許第５３８６２８０号
【発明の概要】
【発明が解決しようとする課題】
【０００６】
従来の機器取付用アダプタを用いて設備機器を設置した場合、機器取付用アダプタの位置と天井穴の位置とは、１対１の関係にある。すなわち、機器取付用アダプタの位置は、天井穴の位置によって、１通りに決まる。このため、設備機器の位置も天井穴の位置によって１通りに決まる。
【０００７】
一方、設備機器の位置（送風口の位置）には、設備機器の性能を十分に発揮させるために適した位置がある。従来の機器取付用アダプタを用いた場合には、天井穴の位置によって設備機器の位置が固定されてしまうため、設備機器の性能を十分に発揮させることができない虞がある。このため、機器取付用アダプタにおいて、設備機器の機能が十分に発揮されるように、設備機器の位置を調整できることが望まれる。
【０００８】
本発明は、かかる課題の認識に基づいてなされたものであり、設備機器の位置を適切に調整することができる機器取付用アダプタを提供することを目的とする。
【課題を解決するための手段】
【０００９】
第１の発明は、天井に設けられた天井穴に設備機器を取り付けるための機器取付用アダプタであって、前記設備機器が挿入される開口部を有する枠体と、挿入された前記設備機器を前記枠体に対して固定する機器固定部と、前記枠体を前記天井に対して固定する枠固定部と、を有する取付枠を備え、前記天井穴に対する前記枠体の位置は、調整可能であり、前記天井は、天井裏に設けられ前記設備機器の重さを支える支持枠を有し、前記枠固定部は、前記枠体を前記支持枠に対して固定するための固定用部材が挿通される固定用孔と、前記固定用部材の位置を前記固定用孔の中心から偏心させる偏心部材と、を有することを特徴とする機器取付用アダプタである。
【００１０】
この機器取付用アダプタによれば、既存の天井穴の大きさに対して設備機器の大きさが小さい場合でも、設備機器を天井に取り付けることが可能となる。さらに、天井穴に対する枠体の位置が調整可能であるため、天井に対する設備機器の位置が調整可能となる。これにより、設備機器の機能を十分に発揮させるために適した位置に、設備機器を配置することが可能となる。例えば、設備機器を天井に取り付ける際に、新たな天井穴を設ける必要がなくなり、施工性を向上させることができる。また、例えば、ネジやボルトなどの固定用部材を用いて枠体を天井に固定する際に、枠体の位置によっては、天井裏の支持枠が固定用部材の障害となり、枠体を天井に適切に固定できない場合がある。これに対して、この機器取付用アダプタによれば、偏心部材によって、固定用部材の位置を規定することで、天井裏の支持枠が障害となることを防ぐことができる。したがって、設備機器を取り付ける際の施工性を向上させることができる。
【００１１】
第２の発明は、天井に設けられた天井穴に設備機器を取り付けるための機器取付用アダプタであって、前記設備機器が挿入される開口部を有する枠体と、挿入された前記設備機器を前記枠体に対して固定する機器固定部と、前記枠体を前記天井に対して固定する枠固定部と、を有する取付枠を備え、前記天井穴に対する前記枠体の位置は、調整可能であり、前記天井に対して固定された前記枠体を覆うように取り付けられる表面パネルをさらに備え、前記表面パネルの主面は、外周と、前記外周の内側に設けられた内周と、を有し、前記表面パネルは複数のパーツで形成され、前記パーツは、前記外周の一部となる部分と、前記内周の一部となる部分と、を有することを特徴とする機器取付用アダプタである。
【００１２】
この機器取付用アダプタによれば、既存の天井穴の大きさに対して設備機器の大きさが小さい場合でも、設備機器を天井に取り付けることが可能となる。さらに、天井穴に対する枠体の位置が調整可能であるため、天井に対する設備機器の位置が調整可能となる。これにより、設備機器の機能を十分に発揮させるために適した位置に、設備機器を配置することが可能となる。例えば、設備機器を天井に取り付ける際に、新たな天井穴を設ける必要がなくなり、施工性を向上させることができる。また、この機器取付用アダプタによれば、表面パネルが取付枠を覆うことで意匠性を向上させることができる。また、例えば、金属板を加工して表面パネルを形成する場合には、表面パネルの外周及び内周となる部分を含むパーツを組み合わせることで、材料である金属板から無駄となってしまう部分を減らすことができる。これにより、コストを低減することができる。
【００１３】
第３の発明は、第２の発明において、前記表面パネルは、前記複数のパーツを接続する接続部を有し、前記表面パネルのうち前記接続部を含まない部分の表面に加工が施されたことを特徴とする機器取付用アダプタである。
【００１４】
複数のパーツを接続して表面パネルを形成する場合には、パーツの接続部によって表面パネルの意匠性が低下する場合がある。これに対して、この機器取付用アダプタによれば、表面パネルの接続部以外に加工が施されることで、例えば接続部が目立たなくなり、意匠性を向上させることができる。
【００１５】
第４の発明は、天井に設けられた天井穴に設備機器を取り付けるための機器取付用アダプタであって、前記設備機器が挿入される開口部を有する枠体と、挿入された前記設備機器を前記枠体に対して固定する機器固定部と、前記枠体を前記天井に対して固定する枠固定部と、を有する取付枠を備え、前記天井穴に対する前記枠体の位置は、調整可能であり、前記天井に対して固定された前記枠体を覆うように取り付けられる表面パネルと、シール部材と、をさらに備え、前記枠体の材料は、金属を含み、前記枠体の一部は、前記枠体が前記天井に対して固定された状態において、前記天井よりも下方に位置し、前記シール部材は、前記表面パネルと前記天井との間において、前記枠体の前記一部の周囲を囲むように配置されることを特徴とする機器取付用アダプタである。
【００１６】
この機器取付用アダプタによれば、既存の天井穴の大きさに対して設備機器の大きさが小さい場合でも、設備機器を天井に取り付けることが可能となる。さらに、天井穴に対する枠体の位置が調整可能であるため、天井に対する設備機器の位置が調整可能となる。これにより、設備機器の機能を十分に発揮させるために適した位置に、設備機器を配置することが可能となる。例えば、設備機器を天井に取り付ける際に、新たな天井穴を設ける必要がなくなり、施工性を向上させることができる。また、この機器取付用アダプタによれば、表面パネルが枠体を覆い、さらに枠体の周囲をシール部材が囲むことで、天井裏に水分を含む蒸気が侵入することを抑制できる。これにより、枠体の金属材料が湿気によって劣化することを抑制できる。このため、例えば、枠体にＳＵＳ等の錆びにくい材料を用いる必要がなく、材料のコストを低減することができる。また、蒸気そのものの侵入を抑制できるため、例えば、取付枠に塗装処理等を行う必要性がない。従ってさらにコストを低減することができる。
【００１７】
第５の発明は、第４の発明において、前記表面パネルは、表面パネル仮固定部を有し、前記表面パネル仮固定部は、前記表面パネルの前記枠体に対する位置が固定される前に、前記表面パネルの前記位置を仮固定することを特徴とする機器取付用アダプタである。
【００１８】
この機器取付用アダプタによれば、枠体に対する表面パネルの位置を固定する際に、仮固定を行うことで、設備機器の取付作業を容易とすることができる。
【００１９】
第６の発明は、第５の発明において、前記表面パネルと前記天井との間に配置される前の状態における前記シール部材の厚さは、前記枠体の前記一部の厚さよりも厚いことを特徴とする機器取付用アダプタである。
【００２０】
この機器取付用アダプタによれば、表面パネルを取り付ける際に、表面パネルによってシール部材を天井に押し付けることができる。これにより、シール部材によるシール性（密閉性）を向上させることができる。
【００２１】
第７の発明は、第６の発明において、前記表面パネルは、表面パネル固定用孔を有し、前記表面パネル固定用孔に挿通された固定用部材によって前記枠体に対して固定され、前記表面パネルと前記枠体との間において、前記固定用部材の周囲にスペーサが設けられたことを特徴とする機器取付用アダプタである。
【００２２】
例えば、ネジなどの固定用部材を用いて表面パネルを枠体に対して固定する際に、天井と表面パネルとが接触していると、ネジを締め付ける力によって表面パネルが変形してしまう場合がある。表面パネルの変形によって、シール部材のシール性が低下してしまう場合がある。これに対して、この機器取付用アダプタによれば、スペーサを設けて表面パネルを固定することで、表面パネルの変形を抑制することができ、外観の意匠性の低下を抑制することができる。
【００２３】
第８の発明は、第１の発明において、前記取付枠は、前記天井穴に対する前記枠体の位置を規制する規制手段をさらに有することを特徴とする機器取付用アダプタである。
【００２４】
例えば、ネジやボルトなどの固定用部材を用いて枠体を天井に固定する際に、枠体の位置によっては、天井裏の支持枠が固定用部材の障害となり、枠体を天井に適切に固定できない場合がある。これに対して、この機器取付用アダプタによれば、規制手段によって、枠体の移動範囲を規制することで、天井裏の支持枠が障害となることを防ぐことができる。したがって、設備機器を取り付ける際の施工性を向上させることができる。
【００２５】
第９の発明は、第２〜第７のいずれか１つの発明において、前記天井は、天井裏に設けられ前記設備機器の重さを支える支持枠を有し、前記取付枠は、前記天井穴に対する前記枠体の位置を規制する規制手段をさらに有することを特徴とする機器取付用アダプタである。
【００２６】
例えば、ネジやボルトなどの固定用部材を用いて枠体を天井に固定する際に、枠体の位置によっては、天井裏の支持枠が固定用部材の障害となり、枠体を天井に適切に固定できない場合がある。これに対して、この機器取付用アダプタによれば、規制手段によって、枠体の移動範囲を規制することで、天井裏の支持枠が障害となることを防ぐことができる。したがって、設備機器を取り付ける際の施工性を向上させることができる。
【００２７】
第１０の発明は、第１〜第９のいずれか１つの発明において、前記取付枠は、仮固定部をさらに有し、前記仮固定部は、前記枠体が前記枠固定部によって前記天井に固定される前に、前記枠体の前記位置を仮固定することを特徴とする機器取付用アダプタである。
【００２８】
この機器取付用アダプタによれば、天井穴に対する枠体の位置を固定する際に、仮固定を行うことで、設備機器の取付作業を容易とすることができる。
【発明の効果】
【００２９】
本発明の態様によれば、設備機器の位置を適切に調整することができる機器取付用アダプタが提供される。
【図面の簡単な説明】
【００３０】
【図１】本発明の実施の形態に係る機器取付用アダプタが使用される浴室を表す模式的断面図である。
【図２】本実施形態に係る機器取付用アダプタを示す模式的分解図である。
【図３】図３（ａ）及び図３（ｂ）は、本実施形態に係る機器取付用アダプタを示す模式的平面図である。
【図４】図４（ａ）及び図４（ｂ）は、本実施形態に係る他の機器取付用アダプタを示す模式的平面図である。
【図５】図５（ａ）及び図５（ｂ）は、本実施形態に係る他の機器取付用アダプタを示す模式図である。
【図６】図６（ａ）〜図６（ｃ）は、本実施形態に係る他の機器取付用アダプタを示す模式図である。
【図７】図７（ａ）〜図７（ｃ）は、本実施形態に係る他の機器取付用アダプタを示す模式図である。
【図８】図８（ａ）及び図８（ｂ）は、本実施形態に係る他の機器取付用アダプタを示す模式図である。
【図９】図９（ａ）〜図９（ｄ）は、本実施形態に係る取付用アダプタの表面パネルを示す模式的斜視図である。
【図１０】図１０（ａ）及び図１０（ｂ）は、本実施形態に係る他の機器取付用アダプタを示す模式図である。
【図１１】図１１（ａ）及び図１１（ｂ）は、本実施形態に係る他の機器取付用アダプタを示す模式図である。
【発明を実施するための形態】
【００３１】
以下、本発明の実施の形態について図面を参照しつつ説明する。なお、各図面中、同様の構成要素には同一の符号を付して詳細な説明は適宜省略する。  
本発明の実施の形態に係る機器取付用アダプタは、設備機器の取付に使用される。取り付けられる設備機器は、例えば、空調設備または暖房設備等であり、送風機能、換気機能または暖房機能等を有する。以下では、取り付けられる設備機器として、浴室乾燥装置を例に挙げ説明する。但し、本発明の実施の形態に係る機器取付用アダプタは、浴室乾燥装置用の機器取付用アダプタには限定されない。
【００３２】
図１は、本発明の実施の形態に係る機器取付用アダプタが使用される浴室を表す模式的断面図である。  
図１に表したように、浴室１０は、天井穴１１ｅを有する天井１１を有する。また、浴室１０内には、浴槽１４及びパイプ１６（ランドリーパイプ）等が設けられる。浴室乾燥装置５０は、本実施形態に係る機器取付用アダプタ１００によって、天井穴１１ｅに取り付けられる。
【００３３】
浴室乾燥装置５０は、例えば、パイプ１６等によって浴室１０内に吊された衣類を乾燥させる「衣類乾燥運転」と、浴室１０の内部の空気を換気する「換気運転」と、浴室１０の内部の空気を暖める「暖房運転」と、を実行することができる。
【００３４】
図２は、本実施形態に係る機器取付用アダプタを例示する模式的分解図である。  
機器取付用アダプタ１００は、取付枠１１０と、表面パネル１２０と、シール部材１２５と、を有する。  
図２に表したように、取付枠１１０は、枠体１１１と、枠固定部１１３と、機器固定部１１５と、を有する。
【００３５】
枠体１１１は、例えば、第１〜第４枠部１１１ａ〜１１１ｄを有する。第１〜第４枠部１１１ａ〜１１１ｄは、例えば、棒状であり、これらによって四角状の枠が形成される。第１枠部１１１ａと第２枠部１１１ｂとは、略平行に配置されている。第３枠部１１１ｃ及び第４枠部１１１ｄは、それぞれ第１枠部１１１ａと第２枠部１１１ｂとを接続する。
【００３６】
第１〜第４枠部１１１ａ〜１１１ｄのそれぞれは、断面略Ｌ字形状である。すなわち、図１に示すように、枠体１１１は、挿入部分１１１ｖと、水平部分１１１ｈと、を有する。挿入部分１１１ｖは、天井１１に固定された状態において、天井穴１１ｅに挿入される部分である。また、水平部分１１１ｈは、天井１１に固定された状態において、水平方向に延在する部分であり、天井１１よりも下方に位置する。
【００３７】
図２に示すように、枠体１１１は、第１〜第４枠部１１１ａ〜１１１ｄによって囲まれた開口部１１１ｅを有する。開口部１１１ｅは、浴室乾燥装置５０が挿入される部分である。
【００３８】
枠体１１１の材料には、例えば、鉄（Ｆｅ）、アルミニウム（Ａｌ）又は銅（Ｃｕ）等の金属を用いることができる。枠体１１１の材料として、例えばステンレス鋼（ＳＵＳ）等の合金を用いてもよい。
【００３９】
図２に示すように、枠固定部１１３は、枠体１１１を天井１１に対して固定する。枠固定部１１３は、例えば、枠体１１１の水平部分１１１ｈに設けられたネジ穴（固定用孔）、及び、ネジ穴に挿入されるネジＳ１（固定用部材）を含む。この例では、第１枠部１１１ａ及び第２枠部１１１ｂのそれぞれに、ネジ穴（枠固定部１１３）が設けられている。ネジＳ１は、例えば、いわゆるドリルネジである。ネジＳ１が枠固定部１１３のネジ穴を介して天井にねじ込まれることにより、天井１１と取付枠１１０とが固定される。但し、枠体１１１と天井１１との固定方法、すなわち枠固定部１１３の形態は、上記に限られず任意である。例えば、枠固定部１１３には、ボルトやナットを用いてもよい。
【００４０】
機器固定部１１５は、枠体１１１の開口部１１１ｅに挿入された浴室乾燥装置５０を枠体１１１に対して固定する。機器固定部１１５は、例えば、枠体１１１に設けられたネジ穴、及び、ネジ穴に挿入されるネジＳ２（固定用部材）を含む。この例では、第３枠部１１１ｃ及び第４枠部１１１ｄのそれぞれに、ネジ穴（機器固定部１１５）が設けられている。また、浴室乾燥装置５０には、機器固定部１１５に対応したネジ穴５０ｓが設けられている。ネジＳ２がネジ穴５０ｓを介して、機器固定部１１５のネジ穴にねじ込まれることにより、浴室乾燥装置５０と取付枠１１０とが固定される。但し、浴室乾燥装置５０と枠体１１１との固定方法、すなわち機器固定部１１５の形態は、上記に限られず任意である。例えば、機器固定部１１５には、ボルトやナットを用いてもよい。
【００４１】
表面パネル１２０は、枠体１１１の下方に設けられる。すなわち、表面パネル１２０は、取付枠１１０が天井に固定された状態において、天井穴１１ｅ及び枠体１１１を下方から覆うように取り付けられる。
【００４２】
この例では、表面パネル１２０の平面形状は、四角形である。表面パネル１２０は、開口部１２０ｅを有する。浴室乾燥装置５０の取付において、浴室乾燥装置５０は、開口部１２０ｅに挿入される。また、この例では、表面パネル１２０は、前述の機器固定部１１５に対応したネジ穴１２０ｓ（表面パネル固定用孔）を有する。浴室乾燥装置５０と枠体１１１とを固定する際に、ネジＳ２が、ネジ穴５０ｓ及びネジ穴１２０ｓに挿入される。これにより、表面パネル１２０が枠体１１１に対して固定される。表面パネル１２０が、天井穴１１ｅ及び枠体１１１を覆うことで、浴室１０の使用者から天井穴１１ｅや枠体１１１が視認されにくくなる。これにより、意匠性を向上させることができる。表面パネル１２０の材料には、金属板（鋼板等）または樹脂等を用いることができる。
【００４３】
シール部材１２５は、表面パネル１２０と天井１１との間において、枠体１１１（水平部分１１１ｈ）の周囲を囲むように配置される。例えば、シール部材１２５は、表面パネル１２０の外縁に沿って設けられる。シール部材１２５には、ゴムなどの材料が用いられる。
【００４４】
表面パネル１２０が枠体１１１を覆い、さらに枠体１１１の周囲をシール部材１２５が囲むことによって、天井裏への水蒸気の侵入を抑制することができる。これにより、枠体１１１の金属材料の湿気による劣化を抑制できる。例えば、枠体１１１にＳＵＳ等の錆びにくく比較的高価な材料を用いる必要性が低減し、材料のコストを抑えることができる。また、取付枠１１０に塗装処理等を行う必要性も低減するため、さらにコストを抑えることができる。
【００４５】
また、シール部材１２５が、表面パネル１２０と天井１１との間に配置される前の状態において、シール部材１２５の厚さ（鉛直方向に沿った長さ）は、枠体１１１の水平部分１１１ｈの厚さよりも厚いことが望ましい。これにより、表面パネル１２０を枠体１１１に取り付ける際に、表面パネル１２０によってシール部材１２５を天井１１に押し付けることができる。このため、シール部材１２５によるシール性を向上させることができる。すなわち、浴室１０内で発生した水蒸気の天井裏への侵入を抑制できる。
【００４６】
また、図１に示すように、天井１１は、天井裏（浴室１０内から見て天井１１の背面側）に設けられた支持枠２０を有する。支持枠２０は、天井１１を補強する部材であり、浴室乾燥装置５０等の重さを支える。
【００４７】
図２に示すように、支持枠２０は、例えば、第１〜第４支持部２０ａ〜２０ｄを有する。第１〜第４支持部２０ａ〜２０ｄによって、四角状の枠が形成される。第１〜第４支持部２０ａ〜２０ｄは、天井穴１１ｅの縁に沿って設けられている。なお、図１に示したように、支持枠２０（第１〜第４支持部２０ａ〜２０ｄのそれぞれ）は、断面略Ｌ字形状である。すなわち、断面において、天井穴１１ｅの縁から鉛直方向に延びる鉛直部分２０ｖと、天井穴１１ｅの縁から水平方向に延びる水平部分２０ｈとを有する。なお、実施形態において、天井１１には必ずしも、支持枠２０が設けられていなくてもよい。
【００４８】
機器取付用アダプタ１００を用いて浴室乾燥装置５０を取り付ける際には、まず、天井穴１１ｅに対して、取付枠１１０（枠体１１１）の位置を調整する。そして、枠固定部１１３によって、天井１１に対して枠体１１１を固定する。その後、表面パネル１２０を枠体１１１の下方に配し、浴室乾燥装置５０を、表面パネル１２０の開口部１２０ｅ、枠体１１１の開口部１１１ｅ、及び、天井穴１１ｅに挿入する。そして、機器固定部１１５によって、浴室乾燥装置５０を、表面パネル１２０を介して枠体１１１に対して固定する。
【００４９】
次に、図３を参照して、機器取付用アダプタ１００の構造の詳細について、さらに説明する。  
図３（ａ）及び図３（ｂ）は、本実施形態に係る機器取付用アダプタを例示する模式的平面図である。  
図３（ａ）及び図３（ｂ）は、図１及び図２に示した機器取付用アダプタ１００を下方から眺めた様子を例示している。図３（ａ）は、図３（ｂ）において、表面パネル１２０の図示を省略した図である。
【００５０】
既に述べたとおり、天井裏の支持枠２０は、第１〜第４支持部２０ａ〜２０ｄを有する。図３（ａ）に表したように、第１支持部２０ａ及び第２支持部２０ｂは、天井１１に沿った第１方向Ｄ１において、互いに離間している。また、第１支持部２０ａ及び第２支持部２０ｂは、それぞれ、天井１１に沿った第２方向Ｄ２に延在する。この例において、第１方向Ｄ１及び第２方向Ｄ２は、互いに直交する。また、第３支持部２０ｃ及び第４支持部２０ｄは、第２方向Ｄ２において互いに離間し、それぞれ第１方向Ｄ１に延在する。
【００５１】
また、上述の通り、枠体１１１は、第１〜第４枠部１１１ａ〜１１１ｄを有する。第１枠部１１１ａ及び第２枠部１１１ｂは、第１方向Ｄ１において互いに離間し、それぞれ第２方向Ｄ２に延在する。第３枠部１１１ｃ及び第４枠部１１１ｄは、第２方向Ｄ２において互いに離間し、それぞれ第１方向Ｄ１に延在する。
【００５２】
第１枠部１１１ａの少なくとも一部は、第１支持部２０ａの一部と、鉛直方向において重なる。また、第２枠部１１１ｂの少なくとも一部は、第２支持部２０ｂの一部と、鉛直方向において重なる。言い換えると、第１方向Ｄ１に沿った枠体１１１（取付枠１１０）の長さＬ１（幅）は、第１方向Ｄ１に沿った天井穴１１ｅの長さＬ２よりも長い。このため、第１及び第２枠部１１１ａ、１１１ｂに設けられたネジ穴（枠固定部１１３）を用いて、枠体１１１の位置を天井穴１１ｅに対して固定することができる。
【００５３】
一方、第２方向Ｄ２に沿った枠体１１１の長さＬ３は、第２方向Ｄ２に沿った天井穴１１ｅの長さＬ４よりも短い。例えば、図３（ａ）の平面図において、第３支持部２０ｃと第４支持部２０ｄとの間に、第３枠部１１１ｃ及び第４枠部１１１ｄが位置する。これにより、枠固定部１１３を用いて枠体１１１の位置を天井穴１１ｅに対して固定する際に、第２方向Ｄ２における枠体１１１の位置が調整可能である。例えば、浴室乾燥装置５０は、天井穴１１ｅ内で移動可能である。
【００５４】
以上説明した機器取付用アダプタ１００は、天井穴１１ｅに既に設置されていた設備機器（浴室乾燥装置や換気扇等）を、浴室乾燥装置５０に交換する際に利用することができる。  
例えば、天井穴１１ｅは、交換前の設備機器の大きさに応じて開けられた既存の開口である。近年の浴室乾燥装置５０は、従来の浴室乾燥装置等の設備機器に比べて小型化されている傾向がある。また、従来に比べて、浴室乾燥装置の大きさの標準規格が整備されつつある。このため、従来の設備機器の大きさに対応して設けられた天井穴１１ｅは、新たに設置される浴室乾燥装置５０の大きさと整合しないことがある。
【００５５】
これに対して、実施形態に係る機器取付用アダプタ１００によれば、天井穴１１ｅに取付枠１１０が取り付けられ、取付枠１１０に浴室乾燥装置５０が取り付けられる。これにより、既存の天井穴１１ｅの大きさに対して浴室乾燥装置５０の大きさが小さい場合でも、浴室乾燥装置５０を天井１１に取り付けることが可能である。
【００５６】
ところで、既存の天井穴１１ｅに対して、新たに浴室乾燥装置を設置する場合、浴室乾燥装置の位置は、天井穴１１ｅの位置及び大きさによって規定される。例えば、従来の取付用具（機器取付用アダプタ）を用いた場合、天井穴１１ｅの位置によって機器取付用アダプタの位置が１通りに規定される。そして、新たに設置される浴室乾燥装置の位置は、機器取付用アダプタの位置によって１通りに規定される。すなわち、従来の機器取付用アダプタを用いた場合には、実質的に浴室乾燥装置の位置を調整することができない。したがって、設備機器の交換に際して、浴室乾燥装置の送風口の位置を調整することができない。
【００５７】
しかしながら、浴室乾燥装置（の送風口）の位置には、その機能を十分に発揮させるために適した位置が存在する。例えば、前述の衣類乾燥機能の場合、パイプ１６に吊された衣類の位置に対して、効率良く衣類を乾かすことができるように送風口を配置することが望ましい。すなわち、浴室乾燥装置とパイプ１６とを適切に配置することが求められる。しかし、従来の機器取付用アダプタを用いた場合には、前述の通り、送風口の位置を調整することができない。このため、送風口を、浴室乾燥装置の能力を最大限発揮できるように配置することができない場合がある。この場合、浴室乾燥装置の交換に際して、新たに天井穴を形成したり、パイプ１６の位置を移動させたりする必要が生じることがある。つまり、浴室乾燥装置の交換における工程が増え、施工性が低下してしまう。
【００５８】
これに対して、本実施形態に係る機器取付用アダプタ１００によれば、枠体１１１の位置を天井穴１１ｅに対して固定する際に、天井穴１１ｅに対する枠体１１１の位置が調整可能である。これにより、浴室乾燥装置５０の機能を十分に発揮させるために適した位置に、浴室乾燥装置５０を配置することが可能となる。例えば、新たな天井穴を設ける必要がなくなり、施工性を向上させることができる。
【００５９】
図４（ａ）及び図４（ｂ）は、本実施形態に係る他の機器取付用アダプタ１０１を例示する模式的平面図である。  
図４（ａ）及び図４（ｂ）は、図３（ａ）の模式的平面図に相当する。この例では、浴室乾燥装置５０の第１方向Ｄ１に沿った長さＬ５（幅）は、天井穴１１ｅの幅（長さＬ２）に比べて、比較的短い。この場合には、第１方向Ｄ１においても、枠体１１１の位置を調整可能とすることができる。なお、これ以外については、機器取付用アダプタ１０１には、図１〜図３（ｂ）に関して説明した機器取付用アダプタ１００と同様の説明を適用することができる。
【００６０】
図４（ａ）は、天井穴１１ｅ内において、浴室乾燥装置５０を最も左側に配置した状態を例示する。図４（ｂ）は、天井穴１１ｅ内において、浴室乾燥装置５０を最も右側に配置した状態を例示する。
【００６１】
図４（ａ）に表したように、例えば、第１枠部１１１ａの第１方向Ｄ１に沿った長さＬ６と、浴室乾燥装置５０の幅（長さＬ５）と、の和は、天井穴１１ｅの幅（長さＬ２）に比べて長い。  
図４（ｂ）に表したように、例えば、第２枠部１１１ｂの第１方向Ｄ１に沿った長さＬ７と、浴室乾燥装置５０の幅（長さＬ５）と、の和は、天井穴１１ｅの幅（長さＬ２）に比べて長い。  
各幅の関係を上記のようにすることで、浴室乾燥装置５０を、天井穴１１ｅ内において、例えば、左端から右端まで移動させることが可能となる。このように、枠体１１１の位置を天井穴１１ｅに対して固定する際、第２方向Ｄ２だけでなく、第１方向Ｄ１においても枠体１１１の位置を調整可能としてもよい。
【００６２】
前述した通り、天井穴１１ｅの大きさ及び支持枠２０の形状は、交換前の設備機器によって決められている。但し、実施形態においては、交換に際して、適宜、天井穴１１ｅの拡張や支持枠２０の交換等を行ってもよい。
【００６３】
図５（ａ）及び図５（ｂ）は、本実施形態に係る他の機器取付用アダプタを例示する模式図である。  
図５（ａ）は、機器取付用アダプタ１０２のうち、取付枠１１０ａの部分のみを例示する模式的斜視図である。図５（ａ）は、浴室乾燥装置５０を天井穴に取り付ける前の状態である。
【００６４】
取付枠１１０ａは、仮固定部１３０を有する。これ以外については、取付枠１１０ａは、前述の取付枠１１０と同様であり、機器取付用アダプタ１０２は、前述の機器取付用アダプタ１００と同様である。
【００６５】
仮固定部１３０には、例えば薄い鋼板を用いることができる。鋼板の厚さは、例えば、０．５ミリメートル以上３ミリメートル以下である。例えば、仮固定部１３０（鋼板）は、取付枠１１０ａに溶接などによって固定されており、上方に延在した形状を有する。
【００６６】
この例では、取付枠１１０ａは、仮固定部１３０として、第１の仮固定部１３１及び第２の仮固定部１３２を有する。第１の仮固定部１３１は、第１枠部１１１ａに設けられ、第２の仮固定部１３２は、第２枠部１１１ｂに設けられる。
【００６７】
図５（ｂ）は、天井１１に対する枠体１１１の固定方法を例示する模式的断面図である。図５（ｂ）は、図５（ａ）に示すＡ１−Ａ２線における断面に対応し、例えば図１に示した断面図に相当する。
【００６８】
仮固定部１３０が設けられた枠体１１１を天井１１に固定する際には、まず、仮固定部１３０を用いて仮固定を行う。仮固定部１３０が薄い鋼板である場合、使用者は、鋼板を折り曲げることができる。例えば、天井穴１１ｅに仮固定部１３０及び枠体１１１を挿入する。そして、使用者は、仮固定部１３０を折り曲げて、支持枠２０に引っかける。具体的には、支持枠２０（第１、第２支持部２０ａ、２０ｂ）のうち鉛直部分２０ｖに、仮固定部１３０を引っかける。これにより、例えば、枠体１１１は、ぶら下がった状態となり、枠体１１１の位置が仮固定される。その後、図２に関する説明と同様にして、ネジ等の枠固定部１１３によって枠体１１１を天井１１に固定する。このように、天井穴に対する枠体１１１の位置を固定する際に、仮固定を行うことで、浴室乾燥装置５０の取付作業を容易とすることができる。
【００６９】
図６（ａ）〜図６（ｃ）は、本実施形態に係る他の機器取付用アダプタを例示する模式図である。  
図６（ａ）は、機器取付用アダプタ１０３のうち、取付枠１１０ｂの部分のみを例示する模式的斜視図である。
【００７０】
取付枠１１０ｂは、天井穴１１ｅに対する枠体１１１の位置を規制する規制手段１４０を有する。これ以外については、取付枠１１０ｂは、前述の取付枠１１０と同様であり、機器取付用アダプタ１０３は、前述の機器取付用アダプタ１００と同様である。
【００７１】
規制手段１４０は、例えば、枠体１１１の挿入部分１１１ｖに接して設けられ、水平部分１１１ｈの上方に位置する。
【００７２】
図６（ｂ）は、天井１１に対する枠体１１１の固定を例示する模式的断面図である。図６（ｂ）は、図６（ａ）に示すＢ１−Ｂ２線における断面に対応し、例えば図１に示した断面図に相当する。
【００７３】
図６（ｂ）に表したように、枠体１１１を天井１１に固定する際に、まず、枠体１１１の挿入部分１１１ｖが天井穴１１ｅに挿入される。このとき、規制手段１４０が天井１１に当接する。これにより、枠体１１１の第１方向Ｄ１における位置（可動範囲）が制限される。なお、規制手段１４０には、鉄、ステンレス、樹脂等、任意の材料を用いることができる。
【００７４】
図６（ｃ）は、図６（ｂ）と同様に、天井１１に対する枠体１１１の固定を例示している。但し、図６（ｃ）は、規制手段１４０が設けられない場合を表す。
【００７５】
前述したとおり、ネジＳ１が枠固定部１１３のネジ穴を介して天井１１にねじ込まれることにより、天井１１と取付枠１１０とが固定される。ここで、領域Ａに示したように、図６（ｃ）の例では、ネジ穴と、支持枠２０の鉛直部分２０ｖと、が鉛直方向において並んでいる。この場合、ネジＳ１をねじ込もうとしたときに、支持枠２０の鉛直部分２０ｖが障害となり、ネジＳ１を適切にねじ込めないことがある。このように、鉛直部分２０ｖとネジＳ１とが干渉し、枠体１１１を天井１１に適切に固定できない場合がある。
【００７６】
これに対して、図６（ｂ）に表したように、規制手段１４０によって、枠体１１１の移動範囲を規制することで、支持枠２０とネジＳ１との干渉を抑制することができる。したがって、浴室乾燥装置５０を取り付ける際の施行性を向上させることができる。
【００７７】
なお、規制手段１４０の大きさ（形状）は、支持枠２０の形状（鉛直部分２０ｖの位置等）に応じて定められる。具体的には、枠体１１１の位置を調整したときに、ネジ穴（枠固定部１１３）と鉛直部分２０ｖとが鉛直方向において並ばないように、規制手段１４０の大きさが定められる。
【００７８】
図７（ａ）〜図７（ｃ）は、本実施形態に係る他の機器取付用アダプタ１０４を例示する模式図である。  
図７（ａ）は、機器取付用アダプタ１０４の一部を例示する模式的分解図である。  
図７（ｂ）は、機器取付用アダプタ１０４の取付枠１１０ｃを例示する模式的断面図である。図７（ｂ）は、図７（ａ）に示したＣ１−Ｃ２線における断面のうち、領域Ｂの部分を表している。取付枠１１０ｃは、前述の枠固定部１１３の一例として、枠固定部１１３ｃを有する。これ以外については、取付枠１１０ｃは、前述の取付枠１１０と同様であり、機器取付用アダプタ１０４は、前述の機器取付用アダプタ１００と同様である。  
図７（ｃ）は、図７（ｂ）のうち枠固定部１１３ｃの部分を例示する模式的平面図である。
【００７９】
図７（ｂ）及び図７（ｃ）に表したように、枠固定部１１３ｃは、固定用孔Ｐ１（ネジ穴）と、偏心部材Ｇ１と、を有する。  
固定用孔Ｐ１には、枠体１１１を支持枠２０に対して固定するためのネジＳ１（固定用部材）が挿通される。固定用孔Ｐ１の径（第１方向Ｄ１に沿った幅）は、ネジＳ１の径よりも大きい。このように固定用孔Ｐ１の径を大きくしておくことで、枠体１１１の位置を調整した場合に、支持枠２０によって適切に枠体１１１が支持されるようにネジＳ１の位置を調整することができる。
【００８０】
偏心部材Ｇ１の少なくとも一部は、固定用孔Ｐ１の内部に設けられる。偏心部材Ｇ１は、ネジＳ１の位置を固定用孔Ｐ１の中心から偏心させる。すなわち、偏心部材Ｇ１が設けられることによって、鉛直方向に沿って見たときに、ネジＳ１の中心位置は、固定用孔Ｐ１の中心位置から、ずれた位置となる。
【００８１】
図６（ｃ）に関する説明と同様に、鉛直部分２０ｖとネジＳ１との干渉を回避することが望ましい。既に述べた通り、支持枠２０の形状（鉛直部分２０ｖの位置）等は、交換前の設備機器によって決まっている。例えば、固定用孔Ｐ１の径を大きく形成しておき、施工現場や交換対象の設備機器に応じて、固定用孔Ｐ１に偏心部材Ｇ１を設ける。偏心部材Ｇ１によって、ネジＳ１の位置を規定することで、ネジＳ１を締める際に鉛直部分２０ｖが障害となることを防ぐことが可能となる。したがって、設備機器を取り付ける際の施工性を向上させることができる。なお、交換対象の設備機器や施工現場の状況が予め判明している場合には、偏心部材Ｇ１を設けずに、鉛直部分２０ｖとネジＳ１との干渉を回避できる位置に固定用孔Ｐ１を形成しておいてもよい。
【００８２】
図８（ａ）及び図８（ｂ）は、本実施形態に係る他の機器取付用アダプタ１０５を例示する模式図である。  
図８（ａ）は、図７（ｂ）の模式的断面図に相当する。図８（ｂ）は、図８（ｃ）の模式的平面図に相当する。
【００８３】
機器取付用アダプタ１０５は、枠固定部１１３ｄを有する。枠固定部１１３ｄは、固定用孔Ｐ１と、偏心部材Ｇ２と、を有する。機器取付用アダプタ１０５は、偏心部材Ｇ２において、図７（ａ）〜図７（ｃ）に関して説明した機器取付用アダプタ１０４と異なる。これ以外については、機器取付用アダプタ１０５は、機器取付用アダプタ１０４と同様である。
【００８４】
図８（ａ）及び図８（ｂ）に表したように、偏心部材Ｇ２は、開口部Ｇ２ｅを有する。偏心部材Ｇ２は、いわゆるワッシャのように用いられる。すなわち、ネジＳ１は、開口部Ｇ２ｅ及び固定用孔Ｐ１に挿入され、天井１１及び支持枠２０にねじ込まれる。偏心部材Ｇ２は、例えば、溶接などによって枠体１１１に固定されている。偏心部材Ｇ２は、ネジＳ１と枠体１１１との間に狭さまれ、固定用孔Ｐ１の内部には設けられない。
【００８５】
鉛直方向に沿って見たときに、開口部Ｇ２ｅの中心位置は、固定用孔Ｐ１の中心位置から、ずれている。これにより、偏心部材Ｇ２は、ネジＳ１の位置を固定用孔Ｐ１の中心から偏心させる。偏心部材Ｇ２を用いることによって、偏心部材Ｇ１を設けた場合と同様に、鉛直部分２０ｖとネジＳ１との干渉を抑制することができる。
【００８６】
なお、偏心部材には、鉄、ステンレス、樹脂等の任意の材料を用いることができる。また、偏心部材の形状などは、上記の偏心部材Ｇ１、Ｇ２の例に限られず、ネジＳ１の位置を固定用孔Ｐ１の中心から偏心させることができればよい。偏心部材の大きさは、支持枠２０の形状等に応じて定められる。例えば、偏心部材の大きさは、枠体１１１の位置を調整したときに、ネジ穴（枠固定部１１３）と鉛直部分２０ｖとが鉛直方向において並ばないように定められる。
【００８７】
図９（ａ）〜図９（ｄ）は、本実施形態に係る取付用アダプタの表面パネルを例示する模式的斜視図である。  
図９（ａ）及び図９（ｂ）は、前述の表面パネル１２０の一例として、表面パネル１２０ａを例示する。図９（ａ）は、表面パネル１２０ａを分解した様子を表す。  
表面パネル１２０ａは、複数のパーツ１２１ｐから形成される。この例では、表面パネル１２０ａは、２つのパーツ１２１ｐを含む。これらの複数のパーツ１２１ｐを組み立てることで、図９（ｂ）に示す表面パネル１２０ａが形成される。
【００８８】
図９（ｂ）に示すように、表面パネル１２０ａは、第１主面Ｆ１を有する。第１主面Ｆ１は、浴室乾燥装置５０を取り付ける際に、下方を向く面である。第１主面Ｆ１は、外周Ｅ１と、外周に囲まれた内周Ｅ２と、を有する。各パーツ１２１ｐは、外周Ｅ１の一部となる部分と、内周Ｅ２の一部となる部分と、有する。図９（ａ）に示した例では、各パーツ１２１ｐの平面形状は、略Ｌ字状であり、パーツ１２１ｐ同士の形状は、実質的に等しい。
【００８９】
例えば、表面パネル１２０ａの材料には、金属板が用いられる。例えば、金属板を切削することで、表面パネル１２０ａを形成することができる。ここで、表面パネル１２０ａを複数のパーツ１２１ｐに分けない場合には、材料の金属板のうち内周Ｅ２に囲まれた部分は、切り出されて無駄となってしまう。これに対して、表面パネル１２０ａにおいては、外周Ｅ１及び内周Ｅ２となる部分を含む複数のパーツ１２１ｐが組み合わされる。パーツ１２１ｐを切り出す際には、材料の金属板において内周Ｅ２に囲まれた部分が生じないようにすることができる。このため、材料である金属板から無駄となってしまう部分を減らすことができ、コストを低減することができる。パーツ１２１ｐ同士の形状が等しい場合には、材料の金属板を効率良く利用しやすい。
【００９０】
例えば、表面パネル１２０ａは、複数のパーツ１２１ｐ同士の接着によって形成される。図９（ｂ）に示すように、表面パネル１２０ａは、パーツ１２１ｐを接続する接続部１２２（接着部）を有する。また、表面パネル１２０ａのうち接続部１２２を含まない部分の表面に加工が施されている。図９（ｂ）の例では、表面パネル１２０ａは、第１主面Ｆ１に設けられた加工部１２４を有する。加工部１２４は、例えば、線状の凹部又は凸部である。
【００９１】
複数のパーツ１２１ｐを接続して表面パネルを形成する場合には、パーツ１２１ｐ同士の接続部１２２によって表面パネルの意匠性が低下する場合がある。これに対して、表面パネル１２０ａのように、接続部１２２以外の部分に加工が施されることで、例えば接続部１２２が目立たなくなり、意匠性を向上させることができる。
【００９２】
複数のパーツ１２１ｐの形状や数は、図９（ａ）に示した例に限られない。例えば、図９（ｃ）及び図９（ｂ）のように４つのパーツを組み合わせて、表面パネルを形成してもよい。図９（ｃ）及び図９（ｄ）は、前述の表面パネル１２０の一例として、表面パネル１２０ｂを例示する。図９（ｃ）は、表面パネル１２０ｂを分解した様子を表す。
【００９３】
表面パネル１２０ｂは、４つのパーツ１２１ｑを含む。各パーツ１２１ｑは、外周Ｅ１の一部となる部分と、内周Ｅ２の一部となる部分と、有する。表面パネル１２０ｂにおいても、表面パネル１２０ａと同様に、材料である金属板から無駄となってしまう部分を減らすことができ、コストを低減することができる。
【００９４】
図１０（ａ）及び図１０（ｂ）は、本実施形態に係る他の機器取付用アダプタを例示する模式図である。  
図１０（ａ）は、機器取付用アダプタ１０６のうち、表面パネル１２０ｃの部分のみを例示する模式的斜視図である。図１０（ａ）は、表面パネル１２０ｃを取付枠に取り付ける前の状態を示している。
【００９５】
表面パネル１２０ｃは、表面パネル仮固定部１５０を有する。これ以外については、表面パネル１２０ｃは、前述の表面パネル１２０と同様であり、機器取付用アダプタ１０６は、前述の機器取付用アダプタ１００と同様である。
【００９６】
表面パネル仮固定部１５０には、例えば薄い鋼板を用いることができる。鋼板の厚さは、例えば、０．５ミリメートル以上３ミリメートル以下である。例えば、表面パネル仮固定部１５０（鋼板）は、表面パネルの第２主面Ｆ２に設けられ、上方に延在した形状を有する。なお、第２主面Ｆ２は、浴室乾燥装置５０を取り付ける際に、上方を向く面である。
【００９７】
この例では、表面パネル１２０ｃは、表面パネル仮固定部１５０として、第１の表面パネル仮固定部１５１及び第２の表面パネル仮固定部１５２を有する。開口部１２０ｅは、第１の表面パネル仮固定部１５１と、第２の表面パネル仮固定部１５２と、の間に位置する。
【００９８】
図１０（ｂ）は、表面パネル１２０ｃの取付方法を例示する模式的断面図である。図１０（ｂ）は、図１０（ａ）に示すＨ１−Ｈ２線における断面に対応する。
【００９９】
既に述べたとおり、浴室乾燥装置５０の取付においては、まず、枠体１１１が天井１１に固定される。その後、表面パネル仮固定部１５０を用いて、表面パネル１２０を、天井１１、支持枠２０及び枠体１１１のいずれかに対して、仮固定する。図１０（ｂ）の例では、使用者は、天井穴１１ｅに表面パネル仮固定部１５０を挿入し、表面パネル仮固定部１５０を折り曲げて、支持枠２０に引っかける。具体的には、支持枠２０（第３、第４支持部２０ｃ、２０ｄ）のうち鉛直部分２０ｖに表面パネル仮固定部１５０を引っかける。これにより、例えば、表面パネル１２０ｃは、ぶら下がった状態となり、仮固定される。その後、図２に関する説明と同様にして、ネジ等によって表面パネル１２０ｃは、枠体１１１に対して固定される。このように、表面パネル１２０ｃの枠体１１１に対する位置を固定する前に、表面パネル仮固定部１５０によって表面パネル１２０ｃの位置を仮固定することで、取付作業を容易とすることができる。
【０１００】
図１１（ａ）及び図１１（ｂ）は、本実施形態に係る他の機器取付用アダプタを例示する模式図である。  
図１１（ａ）は、機器取付用アダプタ１０７の一部を例示する模式的断面図である。  
機器取付用アダプタ１０７は、スペーサ１２７と、表面パネル１２０ｄと、を有する。表面パネル１２０ｄの外縁は、鉛直上方に屈曲した形状を有する。これにより、例えば、表面パネル１２０ｄの強度を向上させることができる。これ以外については、表面パネル１２０ｄは、前述の表面パネル１２０と同様であり、機器取付用アダプタ１０７は、前述の機器取付用アダプタ１００と同様である。  
なお、スペーサ１２７は、表面パネル１２０ｄと一体として形成されていてもよく、表面パネル１２０ｄの一部であってもよい。また、説明の便宜上、図１１（ａ）及び図１１（ｂ）においては、浴室乾燥装置５０の図示を省略している。
【０１０１】
表面パネル１２０ｄには、ネジＳ２（固定用部材）が挿通されるネジ穴１２０ｓ（表面パネル固定孔）が設けられる。枠体１１１に設けられたネジ穴（機器固定部１１５）及びネジ穴１２０ｓにネジＳ２を挿通することにより、表面パネル１２０ｄは、枠体１１１に固定される。機器取付用アダプタ１０７においては、表面パネル１２０ｄを枠体１１１に固定するときに、枠体１１１と表面パネル１２０ｄとの間において、ネジＳ２の周囲にスペーサ１２７が設けられる。例えば、スペーサ１２７は孔を有し、この孔にネジＳ２が挿通されていてもよい。
【０１０２】
図１１（ｂ）は、機器取付用アダプタ１０７において、スペーサ１２７が設けられなかった場合を例示する。表面パネル１２０ｄを枠体１１１に固定するときに、天井１１と表面パネル１２０ｄとが接触していると、ネジＳ２を締める力によって、表面パネル１２０ｄが変形してしまう場合がある。表面パネルの変形によって外観の意匠性が低下してしまう場合がある。これに対して、図１１（ａ）に示した機器取付用アダプタ１０７においては、スペーサ１２７が設けられることで、表面パネル１２０ｄの変形を抑制することができ、外観の意匠性を抑制することができる。
【０１０３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、機器取付用アダプタ１００、取付枠１１０、表面パネル１２０、シール部材１２５などが備える各要素の形状、寸法、材質、配置などや機器取付用アダプタ１００、取付枠１１０、表面パネル１２０、シール部材１２５などの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１０４】
１０ 浴室、  １１ 天井、  １１ｅ 天井穴、  １４ 浴槽、  １６ パイプ、  ２０ 支持枠、  ２０ａ〜２０ｄ 第１〜第４支持部、  ２０ｈ 水平部分、  ２０ｖ 鉛直部分、  ５０ 浴室乾燥装置、  ５０ｓ ネジ穴、  １００〜１０７ 機器取付用アダプタ、  １１０、１１０ａ〜１１０ｃ 取付枠、  １１１ 枠体、  １１１ａ〜１１１ｄ 第１〜第４枠部、  １１１ｅ 開口部、  １１１ｈ 水平部分、  １１１ｖ 挿入部分、  １１３、１１３ｃ、１１３ｄ 枠固定部、  １１５ 機器固定部、  １２０、１２０ａ〜１２０ｄ 表面パネル、  １２０ｅ 開口部、  １２０ｓ ネジ穴、  １２１ｐ、１２１ｑ パーツ、  １２２ 接続部、  １２４ 加工部、  １２５ シール部材、  １２７ スペーサ、  １３０〜１３２ 仮固定部、  １４０ 規制手段、  １５０〜１５２ 表面パネル仮固定部、  Ａ、Ｂ 領域、  Ｄ１ 第１方向、  Ｄ２ 第２方向、  Ｅ１ 外周、  Ｅ２ 内周、  Ｆ１ 第１主面、  Ｆ２ 第２主面、  Ｇ１、Ｇ２ 偏心部材、  Ｇ２ｅ 開口部、  Ｌ１〜Ｌ７ 長さ、  Ｐ１ 固定用孔、  Ｓ１、Ｓ２ ネジ
【図１】
0006388129.tif 000002
【図２】
0006388129.tif 000003
【図３】
0006388129.tif 000004
【図４】
0006388129.tif 000005
【図５】
0006388129.tif 000006
【図６】
0006388129.tif 000007
【図７】
0006388129.tif 000008
【図８】
0006388129.tif 000009
【図９】
0006388129.tif 000010
【図１０】
0006388129.tif 000011
【図１１】
0006388129.tif 000012